(57)【要約】      （修正有）【課題】高粘度の内容物を他のボトル等へ詰め替える際に、安定して内容物が注出でき、詰め替えできる詰替用包装袋を提供することにある。【解決手段】少なくとも、基材層、シーラント層を有する積層材料20からなり、三辺がシールされ、残りの一辺に未シール辺を有する袋本体の未シール辺の一方のサイドシール部側7,8に開口部4、内側に切り込まれたＶ字状シール部5を連設し、該Ｖ字状シール部と他方のサイドシール部の間に上下両端がシールされているガセット折り込み形状の内容物の注出部3を連設し、さらに、該注出部側のサイドシール部の周縁の所定位置に注出口を設ける為の切断開始部11を設けたものからなることを特徴とする。【選択図】図１
2006062694.tif 000002
【特許請求の範囲】
【請求項１】
少なくとも、基材層、シーラント層を有する積層材料からなり、三辺がシールされ、残りの一辺に未シール辺を有する袋本体の未シール辺の一方のサイドシール部側に開口部、内側に切り込まれたＶ字状シール部を連設し、該Ｖ字状シール部と他方のサイドシール部の間に上下両端がシールされているガセット折り込み形状の内容物の注出部を連設し、さらに、該注出部側のサイドシール部の周縁の所定位置に注出口を設ける為の切断開始部を設けたものからなることを特徴とする詰替用包装袋。
【発明の詳細な説明】
【技術分野】
【０００１】
本発明は、液体洗剤やシャンプー等を収納する包装袋に関するものであり、さらに詳しくは、内容物を他の容器に詰め替えるための注出口を有する包装袋に関するものである。
【背景技術】
【０００２】
近年、廃棄物の増加に係わる環境問題から、省資源や廃棄物の減量化を目的として、プラスチックフィルムをベースにした２層以上の積層材料の周縁を熱接着し、液体洗剤やシャンプー等の内容物を収納する袋とし、使用に際し所定位置を鋏等で切断して注出口を設け、その注出口から内容物を、例えばポンプ方式ディスペンサー付のプラスチックボトルに容易に注ぎ、詰め替えが可能な詰替用包装袋が数多く使用されるようになっている。上記詰替用包装袋としては、内容物の注出が容易で最後まで安定して注出されるものが求められている。このような詰替用包装袋として、種々のものが提案されており、詰替用包装袋のコーナーに突出した注出部を設けたものが提案されている（例えば、特許文献１参照。）。
【特許文献１】特開平１１−１３０１０５号公報
【発明の開示】
【発明が解決しようとする課題】
【０００３】
しかしながら、上記提案された詰替用包装袋は、内容物が高粘度の液体の場合には、注出が容易にできない等の欠点を有していた。
【０００４】
本発明の課題は、前記問題点を解決するものであり、高粘度の内容物を他のボトル等へ詰め替える際に、安定して内容物が注出でき、詰め替えできる詰替用包装袋を提供することにある。
【課題を解決するための手段】
【０００５】
本発明の請求項１に係る発明は、少なくとも、基材層、シーラント層を有する積層材料からなり、三辺がシールされ、残りの一辺に未シール辺を有する袋本体の未シール辺の一方のサイドシール部側に開口部、内側に切り込まれたＶ字状シール部を連設し、該Ｖ字状シール部と他方のサイドシール部の間に上下両端がシールされているガセット折り込み形状の内容物の注出部を連設し、さらに、該注出部側のサイドシール部の周縁の所定位置に注出口を設ける為の切断開始部を設けたものからなることを特徴とする詰替用包装袋である。
【発明の効果】
【０００６】
本発明の詰替用包装袋は、少なくとも、基材層、シーラント層を有する積層材料からなり、三辺がシールされ、残りの一辺に未シール辺を有する袋本体の未シール辺の一方のサイドシール部側に開口部、内側に切り込まれたＶ字状シール部を連設し、該Ｖ字状シール部と他方のサイドシール部の間に上下両端がシールされているガセット折り込み形状の内容物の注出部を連設し、さらに、該注出部側のサイドシール部の周縁の所定位置に注出口を設ける為の切断開始部を設けたものからなっているので、使用時に切断開始部から注出部を切断して、注出口を設ければ、注出口がガセット折り込み形状になっているので、容易に注出口を広げることができ、高粘度の内容物の場合でも効率良く詰め替えできる。
【発明を実施するための最良の形態】
【０００７】
本発明の詰替用包装袋を実施の形態に沿って以下に説明する。図２（ａ）は本発明の詰
替用包装袋に使用する積層材料の一実施形態を示す側断面図であり、積層材料（２０）は厚み方向に順に、基材層（２１）、接着剤層（２２）、シーラント層（２３）が積層された構成であり、（ｂ）は積層材料の他の実施形態を示す側断面図であり、積層材料（２０′）は厚み方向に順に、基材層（２１）、接着剤層（２２）、中間層（２４）、接着剤層（２５）、シーラント層（２３）が積層された構成である。さらに、基材層（２１）と接着剤層（２２）の間に印刷層を積層しても良い。
【０００８】
前記基材層（２１）には、一般的に使用される二軸延伸ポリプロピレンフィルム、二軸延伸ポリエステルフィルム、二軸延伸ナイロンフィルム、防湿セロファンなどを使用する。厚みは適宜選定する。
【０００９】
前記接着剤層（２２、２５）には、一般的にポリウレタン系接着剤を使用する。通常、水酸基を持った主剤とイソシアネート基を持った硬化剤とを２液混合して使用する２液型が使用される。その積層方法は公知のグラビアコート方式で積層する。塗布量は１〜５ｇ／ｍ2（乾燥状態）が良い。
【００１０】
前記シーラント層（２３）は、ポリオレフィン系樹脂若しくはポリオレフィン系樹脂フィルムからなっており、樹脂としては、例えば、低密度ポリエチレン樹脂、中密度ポリエチレン樹脂、直鎖状低密度ポリエチレン樹脂、エチレン・酢酸ビニル共重合体樹脂などのエチレン系樹脂や、ホモポリプロピレン樹脂、プロピレン・エチレンランダム共重合体樹脂、プロピレン・エチレンブロック共重合体樹脂、ポリプロピレン・α−オレフィン共重合体樹脂などのポリプロピレン系樹脂などが使用でき、積層方法は公知の溶融押出法あるいはドライラミネーション法で積層する。
【００１１】
前記中間層（２４）は主にガスバリア性を付与したり、積層材料の各種機械的強度を向上させるために設けるもので、単層若しくは多層のフィルムからなっている。単層フィルムとしては無延伸ナイロンフィルム、アルミニウム箔、エチレン・ビニルアルコール共重合体フィルム、塩化ビニリデンフィルム、ポリビニルアルコールフィルム、アクリルフィルム等が使用され、多層フィルムとしては、前記単層フィルムを積層した積層フィルム、塩化ビニリデン系樹脂コートセロファン、アルミニウム蒸着ポリエステルフィルム、アルミニウム蒸着ポリプロピレンフィルム、無機酸化物蒸着ポリエステルフィルムなどが使用される。積層方法は公知のドライラミネーション法等で積層する。
【００１２】
図１（ａ）は本発明の詰替用包装袋の一実施形態を示す説明図であり、詰替用包装袋（１）は、上記積層材料（２０）からなっており、袋本体（２）の片側に内容物を注出する為のガセット折り込み形状の注出部（３）を設け、周縁には内容物を充填する為の開口部（４）、注出部（３）の開口部（４）側の上方を隔離する為のＶ字状シール部（５）、先端シール部（６）、サイドシール部（７、８）及び底シール部（９、１０）を設けており、さらにサイドシール部（７）の先端シール部（６）側に近接する周縁に注出口を設ける為の切断開始部（１１）を設けており、（ｂ）は（ａ）のＡ−Ａ′線断面図であり、注出部（３）は、ガセット折り込み形状のものからなっており、空間（３０）、積層材料（２０）の折り返し部（１２、１３）及び折り目（１４、１５）を有しており、（ｃ）は先端シール部（６）の側断面図であり、折り返し部（１２、１３）で折り返されている部分はシーラント層同士が熱融着された状態になっている。
【００１３】
本発明の詰替用包装袋は、前記の如き形状の内容物の注出部（３）を有しているので、切断開始部（１１）から切断して注出口を設ければ、その注出口が略四角状に広がるので、高粘度の内容物を注出する場合でも効率良く詰め替えできる。
【００１４】
前記切断開始部（１１）の形状は特に限定されず、Ｖノッチ状、直線状の切れ目線など
が良く使用され、また、Ｖ字状シール部（５）の注出部（３）側シール部分の内側周縁にさらに設けても良い。
【００１５】
前記底シール部（９）の側断面は先端シール部（６）の側断面と同一の形状になっており、底シール部（１０）は図１（ａ）の形態に限定されず、詰替用包装袋に良好な自立性を持たせる為に、２つ折りした底部用の積層材料を側壁用の積層材料で両側からシーラント層同士が接するようにして挟んで、周縁をシールした形態にしたものでも良い。
【図面の簡単な説明】
【００１６】
【図１】（ａ）は本発明の詰替用包装袋の一実施形態を示す説明図であり、（ｂ）は（ａ）のＡ−Ａ′線断面図であり、（ｃ）は先端シール部の側断面図である。
【図２】（ａ）は本発明の詰替用包装袋に使用される積層材料の一実施形態を示す側断面図であり、（ｂ）は積層材料の他の実施形態を示す側断面図である。
【符号の説明】
【００１７】
１…詰替用包装袋
２…袋本体
３…注出部
４…開口部
５…Ｖ字状シール部
６…先端シール部
７，８…サイドシール部
９，１０…底シール部
１１…切断開始部
１２，１３…折り返し部
１４，１５…折り目
２０，２０′…積層材料
２１…基材層
２２…接着剤層
２３…シーラント層
２４…中間層
２５…接着剤層
３０…空間
【図１】
2006062694.tif 000003
【図２】
2006062694.tif 000004